(57)【要約】【課題】ユーザがそのＩＤ情報に関連付けた録画コンテンツのみを視聴可能に設定すると共に、ＩＤ情報に応じて、操作可能な機能を制限することができる記録再生装置を提供する。【解決手段】記録再生装置１０は、各ユーザのＩＤ情報を登録したＩＤ登録手段１７ａ、前記各ユーザのＩＤ情報を関連付けてコンテンツを記録するコンテンツ記録手段１７ｂ、入力されたＩＤ情報とＩＤ登録手段１７ａに登録されたＩＤ情報からユーザを認証するユーザ認証手段１９、認証されたユーザのＩＤ情報に対応するコンテンツをコンテンツ記録手段１７ｂから抽出するコンテンツ抽出手段２０、抽出したコンテンツを再生するデコーダ１６、ＩＤ登録手段１７ａのＩＤ情報毎に記録再生装置１０が備える各操作キーの有効／無効を設定する制限設定手段２４を備える。記録再生装置１０は、ユーザからＩＤ情報が入力されると、制限設定手段２４の設定内容に従って操作可能な機能を制限する。【選択図】図４
2005316709.tif 000002
【特許請求の範囲】
【請求項１】
複数のユーザが共有して利用する記録再生装置において、各ユーザに割り当てられたＩＤ情報を登録したＩＤ登録手段と、前記各ユーザのＩＤ情報を関連付けてコンテンツを記録するコンテンツ記録手段と、ユーザからＩＤ情報の入力を受け付けるＩＤ入力手段と、該入力されたＩＤ情報と前記ＩＤ登録手段に登録されているＩＤ情報とからユーザを認証するユーザ認証手段と、該認証されたユーザのＩＤ情報に対応するコンテンツを前記コンテンツ記録手段から抽出するコンテンツ抽出手段と、該抽出したコンテンツを再生する再生手段とを備えていることを特徴とする記録再生装置。
【請求項２】
請求項１に記載の記録再生装置において、前記コンテンツ抽出手段によって抽出されたＩＤ情報毎のコンテンツをリスト化して表示出力する表示出力手段を備え、前記再生手段は、前記コンテンツリストの中から選択されたコンテンツを再生することを特徴とする記録再生装置。
【請求項３】
請求項１又は２に記載の記録再生装置において、前記ＩＤ登録手段に登録されたＩＤ情報毎に、前記記録再生装置が備える機能の制限を設ける制限設定手段を備え、ユーザからＩＤ情報が入力されると、前記制限設定手段の設定内容に従って実行可能な機能を制限することを特徴とする記録再生装置。
【請求項４】
請求項３に記載の記録再生装置において、該記録再生装置を遠隔操作するための操作入力手段を備え、前記制限設定手段は、前記ＩＤ登録手段に登録されたＩＤ情報毎に、前記操作入力手段が備える各操作キーの有効／無効を設定することを特徴とする記録再生装置。
【請求項５】
請求項３又は４に記載の記録再生装置において、前記制限設定手段は、前記ＩＤ登録手段に登録されたＩＤ情報毎に、前記記録再生装置が備える記録媒体の記録容量制限を設けることを特徴とする記録再生装置。
【請求項６】
請求項３乃至５のいずれか１に記載の記録再生装置において、前記制限設定手段は、前記ＩＤ登録手段に登録されたＩＤ情報毎に、前記記録再生装置により取得可能なコンテンツの録画制限及び／又は視聴制限を設けることを特徴とする記録再生装置。
【請求項７】
請求項３乃至６のいずれか１に記載の記録再生装置において、前記制限設定手段は、前記ＩＤ登録手段に登録されたＩＤ情報毎に、前記記録再生装置に装着可能な記録媒体へのアクセス制限を設けることを特徴とする記録再生装置。
【請求項８】
請求項３乃至７のいずれか１に記載の記録再生装置において、前記制限設定手段は、前記ＩＤ登録手段に登録されたＩＤ情報毎に、前記記録再生装置が備えるディスクドライブ手段へのアクセス制限を設けることを特徴とする記録再生装置。
【請求項９】
請求項３乃至８のいずれか１に記載の記録再生装置において、ネットワークを介して通信するための通信手段を備え、前記制限設定手段は、前記ＩＤ登録手段に登録されたＩＤ情報毎に、前記通信手段によって接続可能なＷｅｂサイトへのアクセス制限を設けることを特徴とする記録再生装置。
【請求項１０】
請求項３乃至９のいずれか１に記載の記録再生装置において、前記制限設定手段は、前記ＩＤ登録手段に登録されたＩＤ情報毎に、前記記録再生装置に設定されている固有の設定値へのアクセス制限を設けることを特徴とする記録再生装置。
【請求項１１】
請求項２に記載の記録再生装置において、前記ＩＤ登録手段に登録されたＩＤ情報毎に、前記記録再生装置の操作メニューを設定するメニュー設定手段を備え、前記表示出力手段は、前記ユーザ認証手段により認証されたユーザのＩＤ情報に対応する操作メニューを表示出力することを特徴とする記録再生装置。
【請求項１２】
複数のユーザが共有して利用する記録再生装置を用いてコンテンツを管理するためのコンテンツ管理方法において、各ユーザに割り当てられたＩＤ情報を記録媒体に登録するＩＤ登録ステップと、前記各ユーザのＩＤ情報を関連付けてコンテンツを前記記録媒体に記録するコンテンツ記録ステップと、ユーザからＩＤ情報の入力を受け付けるＩＤ入力ステップと、該入力されたＩＤ情報と前記記録媒体に登録されているＩＤ情報とからユーザを認証するユーザ認証ステップと、該認証されたユーザのＩＤ情報に対応するコンテンツを前記記録媒体から抽出するコンテンツ抽出ステップと、該抽出したコンテンツを再生する再生ステップとを有することを特徴とするコンテンツ管理方法。
【請求項１３】
前記コンテンツ抽出ステップで抽出されたＩＤ情報毎のコンテンツをリスト化し、そのコンテンツリストを表示出力する表示出力ステップを有し、前記再生ステップにおいて、前記コンテンツリストの中から選択されたコンテンツを再生することを特徴とする請求項１２に記載のコンテンツ管理方法。
【請求項１４】
前記記録媒体に登録されたＩＤ情報毎に、前記記録再生装置が備える機能の制限を設ける制限設定ステップを有し、ユーザからＩＤ情報が入力されると、前記制限の設定内容に従って実行可能な機能を制限することを特徴とする請求項１２又は１３に記載のコンテンツ管理方法。
【請求項１５】
前記制限設定ステップにおいて、前記記録媒体に登録されたＩＤ情報毎に、前記記録再生装置を遠隔操作するための操作入力手段が備える各操作キーの有効／無効を設定することを特徴とする請求項１４に記載のコンテンツ管理方法。
【請求項１６】
前記制限設定ステップにおいて、前記記録媒体に登録されたＩＤ情報毎に、前記記録再生装置が備える記録媒体の記録容量制限を設けることを特徴とする請求項１４又は１５に記載のコンテンツ管理方法。
【請求項１７】
前記制限設定ステップにおいて、前記記録媒体に登録されたＩＤ情報毎に、前記記録再生装置により取得可能なコンテンツの録画制限及び／又は視聴制限を設けることを特徴とする請求項１４乃至１６のいずれか１に記載のコンテンツ管理方法。
【請求項１８】
前記制限設定ステップにおいて、前記記録媒体に登録されたＩＤ情報毎に、前記記録再生装置に装着可能な記録媒体へのアクセス制限を設けることを特徴とする請求項１４乃至１７のいずれか１に記載のコンテンツ管理方法。
【請求項１９】
前記制限設定ステップにおいて、前記記録媒体に登録されたＩＤ情報毎に、前記記録再生装置が備えるディスクドライブ手段へのアクセス制限を設けることを特徴とする請求項１４至１８のいずれか１に記載のコンテンツ管理方法。
【請求項２０】
前記制限設定ステップにおいて、前記記録媒体に登録されたＩＤ情報毎に、ネットワークを介して通信するための通信手段によって接続可能なＷｅｂサイトへのアクセス制限を設けることを特徴とする請求項１４乃至１９のいずれか１に記載のコンテンツ管理方法。
【請求項２１】
前記制限設定ステップにおいて、前記記録媒体に登録されたＩＤ情報毎に、前記記録再生装置に設定されている固有の設定値へのアクセス制限を設けることを特徴とする請求項１４乃至２０のいずれか１に記載のコンテンツ管理方法。
【請求項２２】
前記記録媒体に登録されたＩＤ情報毎に、前記記録再生装置の操作メニューを設定するメニュー設定ステップを有し、前記表示出力ステップにおいて、前記ユーザ認証ステップで認証されたユーザのＩＤ情報に対応する操作メニューを表示出力することを特徴とする請求項１３に記載のコンテンツ管理方法。
【発明の詳細な説明】
【技術分野】
【０００１】
本発明は、記録再生装置及びコンテンツ管理方法、より詳細には、複数のユーザが１つの記録再生装置を共有して利用する際に、ユーザ毎にコンテンツを録画／視聴することができる記録再生装置及び該装置を用いたコンテンツ管理方法に関する。
【背景技術】
【０００２】
例えば、ＨＤ（ハードディスク）とＤＶＤ（デジタル多用途ディスク）といった複数の記録媒体に対して記録再生を行うことができる複合レコーダ（以下、単に複合レコーダという）が普及している。この複合レコーダの備えるＨＤには１００ＧＢ以上の記録容量を持ったものも市販されており、今後更に記録容量が増大してくることが予想される。また、現在のＤＶＤは約４．７ＧＢ程度（片面１層）の記録容量を持っているが、例えばＢｌｕ−ｒａｙ（ＢＤ）ディスクのような、より記録容量の大きな記録媒体に置き換わっていくものと予想される。このような記録容量の増大に伴って、複合レコーダに記録可能な番組（コンテンツ）の数も増大し、記録した番組をより分かりやすく整理して表示（検索）する機能が必要となってくる。
【０００３】
一方、上記複合レコーダは、ＢＳ，ＣＳ，地上波等のデジタル放送の提供開始に伴って、従来のＶＴＲに代わって一般家庭にも普及が進んでいる。この一般家庭のような環境下では、家族間で１台の複合レコーダを使用するという状況が発生する。従って、録画番組をその録画した本人以外の第三者が操作して視聴することができる上に、録画番組を本人以外の第三者が誤って消去してしまうといったことが起こり得る。
【０００４】
上記課題に対して、例えば、特許文献１には、１台の放送番組記録再生装置を複数の利用者で共有して利用する際に、各利用者のプライバシーを保護できるようにしたものが開示されている。これは、複数の利用者の中で個人を特定する利用者ＩＤを放送番組記録再生装置に入力し、その利用者ＩＤを、番組及びその番組に関する番組情報と共に記録することで、再生時には利用者ＩＤと合致した番組のみを視聴できるようにしてプライバシー保護を図っている。
【０００５】
また、特許文献２には、異なる場所や、異なる視聴端末でも、利用者が継続してコンテンツの視聴を行えるようにしたものが開示されている。これは、利用者毎の、何のコンテンツをどこまで視聴した、といった個人視聴行動履歴をサーバで管理する。視聴を中断する場合、その時点でのコンテンツの視聴継続情報を、視聴端末からサーバに送り、上記個人視聴行動履歴に記憶させる。中断したコンテンツの視聴を再開する場合には、サーバにおいて上記個人視聴行動履歴と、コンテンツの特徴を記述したコンテンツ情報とから視聴開始情報を生成し、視聴端末に送信する。
【特許文献１】特開２００２−１３５７１０号公報
【特許文献２】特開２００２−３２８９４９号公報
【発明の開示】
【発明が解決しようとする課題】
【０００６】
しかしながら、上記特許文献１に記載の発明によると、利用者がその利用者ＩＤに関連付けて記録した番組のみ視聴可能に設定できるようにしたものであるが、利用者ＩＤに応じて、記録再生装置が備える機能の操作制限を設けたり、記録再生装置の操作メニューを変更したりといった各種設定が出来るようにはなっていない。
【０００７】
また、特許文献２に記載の発明は、ユーザがコンテンツを途中まで視聴し、一旦終了し、このときの終了位置情報を記憶しておき、後に再度同じコンテンツにアクセスした際に、前記終了位置情報をユーザ側端末に送信することで、ユーザが前回終了位置からの続きを視聴可能としたものであるが、これは単に「しおり」をコンテンツに挿入するようにしたもので、ユーザがそのユーザＩＤに関連付けて記録した番組のみ視聴可能に設定できるようにはなっておらず、さらに、ユーザＩＤに応じて、記録再生装置が備える機能の操作制限を設けたり、記録再生装置の操作メニューを変更したりといった各種設定が出来るようにはなっていない。
【０００８】
本発明は、上述のごとき実情に鑑みてなされたものであり、ユーザがそのＩＤ情報に関連付けた録画コンテンツのみを視聴可能に設定すると共に、ＩＤ情報に応じて操作可能な機能を制限できるようにし、さらには、ＩＤ情報に応じて操作メニューを変更できるようにした記録再生装置及び該装置を用いたコンテンツ管理方法を提供すること、を目的としてなされたものである。
【課題を解決するための手段】
【０００９】
上記課題を解決するために、本発明の第１の技術手段は、複数のユーザが共有して利用する記録再生装置において、各ユーザに割り当てられたＩＤ情報を登録したＩＤ登録手段と、前記各ユーザのＩＤ情報を関連付けてコンテンツを記録するコンテンツ記録手段と、ユーザからＩＤ情報の入力を受け付けるＩＤ入力手段と、該入力されたＩＤ情報と前記ＩＤ登録手段に登録されているＩＤ情報とからユーザを認証するユーザ認証手段と、該認証されたユーザのＩＤ情報に対応するコンテンツを前記コンテンツ記録手段から抽出するコンテンツ抽出手段と、該抽出したコンテンツを再生する再生手段とを備えていることを特徴としたものである。
【００１０】
第２の技術手段は、第１の技術手段において、前記コンテンツ抽出手段によって抽出されたＩＤ情報毎のコンテンツをリスト化して表示出力する表示出力手段を備え、前記再生手段は、前記コンテンツリストの中から選択されたコンテンツを再生することを特徴としたものである。
【００１１】
第３の技術手段は、第１又は第２の技術手段において、前記ＩＤ登録手段に登録されたＩＤ情報毎に、前記記録再生装置が備える機能の制限を設ける制限設定手段を備え、ユーザからＩＤ情報が入力されると、前記制限設定手段の設定内容に従って実行可能な機能を制限することを特徴としたものである。
【００１２】
第４の技術手段は、第３の技術手段において、該記録再生装置を遠隔操作するための操作入力手段を備え、前記制限設定手段は、前記ＩＤ登録手段に登録されたＩＤ情報毎に、前記操作入力手段が備える各操作キーの有効／無効を設定することを特徴としたものである。
【００１３】
第５の技術手段は、第３又は第４の技術手段において、前記制限設定手段は、前記ＩＤ登録手段に登録されたＩＤ情報毎に、前記記録再生装置が備える記録媒体の記録容量制限を設けることを特徴としたものである。
【００１４】
第６の技術手段は、第３乃至第５のいずれか１の技術手段において、前記制限設定手段は、前記ＩＤ登録手段に登録されたＩＤ情報毎に、前記記録再生装置により取得可能なコンテンツの録画制限及び／又は視聴制限を設けることを特徴としたものである。
【００１５】
第７の技術手段は、第３乃至第６のいずれか１の技術手段において、前記制限設定手段は、前記ＩＤ登録手段に登録されたＩＤ情報毎に、前記記録再生装置に装着可能な記録媒体へのアクセス制限を設けることを特徴としたものである。
【００１６】
第８の技術手段は、第３乃至第７のいずれか１の技術手段において、前記制限設定手段は、前記ＩＤ登録手段に登録されたＩＤ情報毎に、前記記録再生装置が備えるディスクドライブ手段へのアクセス制限を設けることを特徴としたものである。
【００１７】
第９の技術手段は、第３乃至第８のいずれか１の技術手段において、ネットワークを介して通信するための通信手段を備え、前記制限設定手段は、前記ＩＤ登録手段に登録されたＩＤ情報毎に、前記通信手段によって接続可能なＷｅｂサイトへのアクセス制限を設けることを特徴としたものである。
【００１８】
第１０の技術手段は、第３乃至第９のいずれか１の技術手段において、前記制限設定手段は、前記ＩＤ登録手段に登録されたＩＤ情報毎に、前記記録再生装置に設定されている固有の設定値へのアクセス制限を設けることを特徴としたものである。
【００１９】
第１１の技術手段は、第２の技術手段において、前記ＩＤ登録手段に登録されたＩＤ情報毎に、前記記録再生装置の操作メニューを設定するメニュー設定手段を備え、前記表示出力手段は、前記ユーザ認証手段により認証されたユーザのＩＤ情報に対応する操作メニューを表示出力することを特徴としたものである。
【００２０】
第１２の技術手段は、複数のユーザが共有して利用する記録再生装置を用いてコンテンツを管理するためのコンテンツ管理方法において、各ユーザに割り当てられたＩＤ情報を記録媒体に登録するＩＤ登録ステップと、前記各ユーザのＩＤ情報を関連付けてコンテンツを前記記録媒体に記録するコンテンツ記録ステップと、ユーザからＩＤ情報の入力を受け付けるＩＤ入力ステップと、該入力されたＩＤ情報と前記記録媒体に登録されているＩＤ情報とからユーザを認証するユーザ認証ステップと、該認証されたユーザのＩＤ情報に対応するコンテンツを前記記録媒体から抽出するコンテンツ抽出ステップと、該抽出したコンテンツを再生する再生ステップとを有することを特徴としたものである。
【００２１】
第１３の技術手段は、第１２の技術手段において、前記コンテンツ抽出ステップで抽出されたＩＤ情報毎のコンテンツをリスト化し、そのコンテンツリストを表示出力する表示出力ステップを有し、前記再生ステップにおいて、前記コンテンツリストの中から選択されたコンテンツを再生することを特徴としたものである。
【００２２】
第１４の技術手段は、第１２又は第１３の技術手段において、前記記録媒体に登録されたＩＤ情報毎に、前記記録再生装置が備える機能の制限を設ける制限設定ステップを有し、ユーザからＩＤ情報が入力されると、前記制限の設定内容に従って実行可能な機能を制限することを特徴としたものである。
【００２３】
第１５の技術手段は、第１４の技術手段において、前記制限設定ステップにおいて、前記記録媒体に登録されたＩＤ情報毎に、前記記録再生装置を遠隔操作するための操作入力手段が備える各操作キーの有効／無効を設定することを特徴としたものである。
【００２４】
第１６の技術手段は、第１４又は第１５の技術手段において、前記制限設定ステップにおいて、前記記録媒体に登録されたＩＤ情報毎に、前記記録再生装置が備える記録媒体の記録容量制限を設けることを特徴としたものである。
【００２５】
第１７の技術手段は、第１４乃至第１６のいずれか１の技術手段において、前記制限設定ステップにおいて、前記記録媒体に登録されたＩＤ情報毎に、前記記録再生装置により取得可能なコンテンツの録画制限及び／又は視聴制限を設けることを特徴としたものである。
【００２６】
第１８の技術手段は、第１４乃至第１７のいずれか１の技術手段において、前記制限設定ステップにおいて、前記記録媒体に登録されたＩＤ情報毎に、前記記録再生装置に装着可能な記録媒体へのアクセス制限を設けることを特徴としたものである。
【００２７】
第１９の技術手段は、第１４至第１８のいずれか１の技術手段において、前記制限設定ステップにおいて、前記記録媒体に登録されたＩＤ情報毎に、前記記録再生装置が備えるディスクドライブ手段へのアクセス制限を設けることを特徴としたものである。
【００２８】
第２０の技術手段は、第１４乃至第１９のいずれか１の技術手段において、前記制限設定ステップにおいて、前記記録媒体に登録されたＩＤ情報毎に、ネットワークを介して通信するための通信手段によって接続可能なＷｅｂサイトへのアクセス制限を設けることを特徴としたものである。
【００２９】
第２１の技術手段は、第１４乃至第２０のいずれか１の技術手段において、前記制限設定ステップにおいて、前記記録媒体に登録されたＩＤ情報毎に、前記記録再生装置に設定されている固有の設定値へのアクセス制限を設けることを特徴としたものである。
【００３０】
第２２の技術手段は、第１３の技術手段において、前記記録媒体に登録されたＩＤ情報毎に、前記記録再生装置の操作メニューを設定するメニュー設定ステップを有し、前記表示出力ステップにおいて、前記ユーザ認証ステップで認証されたユーザのＩＤ情報に対応する操作メニューを表示出力することを特徴としたものである。
【発明の効果】
【００３１】
ユーザがそのＩＤ情報に関連付けた録画コンテンツのみを視聴可能に設定できると共に、ＩＤ情報に応じて操作可能な機能を制限することができるため、録画番組をその録画した本人以外の第三者が勝手に操作して視聴したり、子供などが番組を勝手に録画したり、消去、編集してしまうといったことを防止することができる。
【発明を実施するための最良の形態】
【００３２】
（第１の実施形態）
図１は、本発明の一実施形態に係る記録再生装置の構成例を示すブロック図で、図中、１０は記録再生装置で、該記録再生装置１０は、アンテナ１１，チューナ１２，エンコーダ１３，外部記録媒体（以下、ＤＶＤで代表する）を着脱可能に装着するための入出力インタフェイス（入出力Ｉ／Ｆ）１４，装置全体の処理を制御するためのＣＰＵやＲＯＭ等で構成される制御部１５，デコーダ１６，ハードディスク等の記録媒体（以下、ＨＤ）１７，リモコン等の操作入力手段からの操作信号を受光する受光部を備えた入力手段１８，ＩＤ情報に基づいてユーザを認証するユーザ認証手段１９，ＩＤ情報に基づいてＨＤ１７に記録されたＡＶデータ（以下、単にコンテンツという）を抽出するコンテンツ抽出手段２０，コンテンツを図示しない表示装置（例えば、ＣＲＴ装置やプラズマ表示装置、液晶表示装置、有機／無機ＥＬ装置など）に出力する表示出力手段２１を備えている。
【００３３】
図２は、図１に示す記録再生装置１０が備える機能を遠隔操作するための操作入力手段の一例を示す図で、図中、３０は操作入力手段（以下、リモコン３０という）を示す。本例に示すリモコン３０は、記録再生装置１０が備える各機能（例えば、録画、再生、サーチなど）を遠隔操作で実行するための装置で、このリモコン３０から送信される操作信号は、入力手段１８が備える受光部に入力される。記録再生装置１０は、入力された操作信号に基づいて各機能を実行する。
【００３４】
図１に示す記録再生装置１０は、アナログ放送とデジタル放送（ＢＳ／ＣＳ／地上波）の両方を受信できる実施形態を代表例として説明するが、いずれか一方のみを受信できる形態としてもよく、また、本記録再生装置１０は、例えば、デジタルチューナ内蔵のハードディスクレコーダやＤＶＤレコーダ、ハードディスク一体型ＤＶＤレコーダ、あるいは、デジタルチューナを外部接続可能なハードディスクレコーダやＤＶＤレコーダ、ハードディスク一体型ＤＶＤレコーダなどに好適に用いることができる。デジタルチューナを外部接続とした場合にはアンテナ１１及びチューナ１２を不要としてもよい。
【００３５】
本実施形態では、記録媒体としてＨＤとＤＶＤを用いているが、記録媒体をこれらに限定しているものではなく、コンテンツを記録できる全ての記録媒体に応用することが可能である。例えば、ＶＨＳやＤ−ＶＨＳなどのカセットテープ形態のものや、次世代ＤＶＤと期待されているＢｌｕ−ｒａｙディスク（以下、ＢＤ）や、ＨＤ＿ＤＶＤなどの光ディスクに対しても応用することができるのは言うまでもない。
【００３６】
ここで、記録再生装置１０を用いてデジタル放送を視聴する場合、チューナ１２は、アンテナ１１から入力された高周波信号（デジタル変調信号）を復調し、その復調信号をデコーダ１６に入力する。デコーダ１６は、入力された復調信号を映像信号と音声信号に復号した後、その復号信号から表示制御出力信号を生成し、その表示制御出力信号を表示出力手段２１に出力する。ユーザは表示制御出力信号に対応したデジタル放送番組を視聴することができる。
【００３７】
記録再生装置１０を用いてアナログ放送番組を記録する場合、チューナ１２は、アンテナ１１から入力された高周波信号（アナログ変調信号）を復調し、その復調信号をエンコーダ１３により符号化する。更に、符号化したデータを記録に適した形式（ストリーム）に変換してＨＤ１７又はＤＶＤ等の各種記録媒体にコンテンツとして記録する。
【００３８】
また、記録再生装置１０を用いてデジタル放送番組を記録する場合、チューナ１２は、アンテナ１１から入力された高周波信号（デジタル変調信号）を復調してＨＤ１７又はＤＶＤ等の各種記録媒体にコンテンツとして記録する。
【００３９】
ＨＤ１７又はＤＶＤ等に記録されているコンテンツを記録再生装置１０により再生する場合、デコーダ１６は、ＨＤ１７又はＤＶＤ等に記録されているコンテンツを復号した後、映像出力可能な形式に変換して表示出力手段２１に出力する。
【００４０】
本実施形態の記録再生装置１０は、複数のユーザによって共有して利用される場合、各ユーザがそのＩＤ情報に関連付けたコンテンツのみを録画／視聴可能に設定する機能を備える。この機能は、図１に示すＩＤ登録手段１７ａ，コンテンツ記録手段１７ｂ，入力手段１８，ユーザ認証手段１９，コンテンツ抽出手段２０，デコーダ１６，表示出力手段２１により実現される。
【００４１】
ＩＤ登録手段１７ａは各ユーザに割り当てられたＩＤ情報を登録し、コンテンツ記録手段１７ｂは各ユーザのＩＤ情報を関連付けてコンテンツを記録する。これらＩＤ登録手段１７ａ及びコンテンツ記録手段１７ｂはＨＤ１７の記録領域内に構成されているものとする。
【００４２】
上記ＩＤ情報とは、ユーザ固有の識別情報であって、ユーザの年齢などの情報が含まれている。記録再生装置１０を家族間で共有して利用する場合、家族間で任意に決めることができる。例えば、父親には「パパ」、母親には「ママ」、子供には「ツネオ」、祖父には「ソフ」、祖母には「ソボ」などの識別名や、数字や記号等の組み合わせからなるＩＤ番号、パスワードであってもよい。ＩＤ情報の入力方法としては、例えば、表示画面上にＩＤ入力画面を表示させ、リモコン３０あるいは記録再生装置１０を操作することで上記ＩＤ情報を入力できるようにしてもよい。
【００４３】
また、各ＩＤ情報をＩＣカードやメモリカードなどにそれぞれ書き込んで保存しておいてもよい。この場合、記録再生装置１０側にＩＤ情報の書込手段と読取手段を設けておき、ＩＤ情報が書き込まれたメモリカード等が挿着されると、自動的にＩＤ情報の読み取りを行うようにしてもよい。また、記録再生装置１０に生体認証機能を備え、指紋認証や声紋認証などを用いてもよい。このように、ユーザを識別可能な手段であればどのようなものでもよくその種類は問わない。また、家族間で共通のＩＤ情報を設定してもよいが、この場合、ＩＤ情報を特に決めなくてもよい。
【００４４】
ＩＤ入力手段１８は、リモコン３０からの操作信号を受光し、これによりユーザからＩＤ情報の入力を受け付ける。ユーザ認証手段１９は、ユーザから入力されたＩＤ情報がＩＤ登録手段１７ａに登録されているＩＤ情報と合致するかどうか比較してユーザを認証する。尚、ユーザ認証手段１９により一旦ユーザを認証した後、○○分以上リモコン３０あるいは記録再生装置１０が操作されなかった場合、当該ＩＤ情報を自動的に解除するようにしてもよい。また、指紋認証等を行い且つリモコン３０あるいは記録再生装置１０が操作された場合にのみ当該ＩＤ情報を有効とするなど、認証処理に対して各種設定を行うようにしてもよい。
【００４５】
コンテンツ抽出手段２０は、認証されたユーザのＩＤ情報に対応するコンテンツをＨＤ１７から抽出する。表示出力手段２１は、コンテンツ抽出手段２０によって抽出されたＩＤ情報毎のコンテンツをリスト化して表示画面上に表示出力する。
【００４６】
図３は、ＩＤ情報毎に視聴可能なコンテンツを管理するコンテンツ管理テーブルの一例を示す図である。このコンテンツ管理テーブルはＨＤ１７に記録されている。例えば、ＩＤ情報として「パパ」が入力されると、コンテンツ抽出手段２０は、コンテンツ管理テーブルから、ＩＤ情報「パパ」に該当するコンテンツ（本例では、○×スペシャル，大リーグ中継，…，サッカー中継など）を抽出し、これらのコンテンツをリスト化して表示画面上に表示出力する。そして、当該ユーザが、画面表示されたコンテンツリストから再生したいコンテンツを選択すると、選択されたコンテンツをデコーダ１６が再生して表示出力手段２１に出力する。
【００４７】
本発明によると、ユーザがそのＩＤ情報に関連付けた録画コンテンツのみを視聴可能に設定することができるため、ユーザのプライバシーを保護できると共に、録画番組をその録画した本人以外の第三者が勝手に操作して視聴したり、誤って消去してしまうといったことを防止することができる。
【００４８】
（第２の実施形態）
図４は、本発明の他の実施形態に係る記録再生装置１０の構成例を示すブロック図で、記録再生装置１０は、図１に示した装置構成に加えて、インターネットなどのネットワークに接続して通信を行うための通信手段２２，ＩＤ登録手段１７ａに登録されたＩＤ情報毎に記録再生装置１０の操作メニューを設定するメニュー設定手段２３，ＩＤ登録手段１７ａに登録されたＩＤ情報毎に記録再生装置１０が備える機能の制限を設定する制限設定手段２４を備えている。本実施形態の記録再生装置１０は、制限設定手段２４の設定内容に従って実行可能な機能をユーザ毎に制限することができる。尚、本実施形態の記録再生装置１０が備える他の構成は、図１に示した記録再生装置１０と同様であるため、ここでの説明は省略する。
【００４９】
図５は、制限設定手段２４によりＩＤ情報毎に各種制限を設定した制限管理テーブルの一例を示す図である。本例に示すＩＤ情報は、図３に示したＩＤ情報（「パパ」、「ママ」、「ツネオ」）と同様とし、制限管理テーブルに設定された各制限項目について説明する。
まず、「コンテンツリスト」は、ＩＤ情報に応じて、各コンテンツの公開リストを表示させるか、隠しリストを表示させるかを設定するための項目である。この公開リストは、ユーザであれば誰でも見ることができる（特別な許可が要らない）コンテンツのリストで、隠しリストは、許可されたユーザだけが見ることができるコンテンツのリストのことをいう。記録再生装置１０は、ユーザからＩＤ情報が入力されると、上記設定に従って、公開リストあるいは隠しリストを表示させる。
【００５０】
「記録容量制限」は、ＩＤ情報に応じて、ＨＤ１７の記録容量に制限を設けるための項目である。例えば、ＨＤ１７が約１００ＧＢの記録容量を持っている場合、「パパ」には約５０ＧＢ、「ママ」には約３０ＧＢ、「ツネオ」には約２０ＧＢというように、ＩＤ情報に応じて記録可能な記録容量を制限することができる。尚、記録容量に対して割合（％）で設定してもよい。
【００５１】
「録画／視聴制限」は、ＩＤ情報に応じて、記録再生装置１０が取得可能なコンテンツの録画制限あるいは視聴制限を設けるための項目である。例えば、ＥＰＧなどの番組表情報を元に、ＩＤ情報の定義（例えば、年齢など）に従って、録画／視聴制限するコンテンツ（例えば、大人向け番組や映画など）をＩＤ情報毎に予め登録しておく。記録再生装置１０は、ユーザからＩＤ情報が入力され、録画あるいは視聴を行うコンテンツが選択されると、その選択されたコンテンツが、制限管理テーブルに登録されているかどうか判定し、その結果、制限管理テーブルに登録されている場合、上記ユーザに対して当該コンテンツの録画制限あるいは視聴制限を行う。
【００５２】
また、ＩＤ情報に応じて、記録再生装置１０が受信可能な放送局の録画制限あるいは視聴制限を設けるようにしてもよい。この場合、例えば、ＩＤ情報の定義（例えば、年齢など）に従って、録画／視聴制限する放送局（例えば、民放，ＢＳ，ＣＳなど、あるいはこれら放送局の組み合わせ）をＩＤ情報毎に予め登録しておく。記録再生装置１０は、ユーザからＩＤ情報が入力され、録画あるいは視聴を行う放送局が選択されると、その選択された放送局が、制限管理テーブルに登録されているかどうか判定し、その結果、制限管理テーブルに登録されている場合、上記ユーザに対して当該放送局の録画制限あるいは視聴制限を行う。
【００５３】
「ディスクアクセス制限」は、ＩＤ情報に応じて、記録再生装置１０に装着可能な記録媒体（例えば、ＤＶＤやＢＤなど）へのアクセス制限を設けるための項目である。この場合、ＩＤ情報毎に、アクセス制限するＤＶＤ固有のディスク番号を予め登録しておいたり、パレンタルレベル情報を利用してアクセス制限を行う。記録再生装置１０は、ユーザからＩＤ情報が入力され、ＤＶＤの再生が選択されると、制限管理テーブルからそのＤＶＤのディスク番号をチェックする、もしくはパレンタルレベル情報を利用し、当該ＤＶＤに対してアクセス制限されたユーザかどうか判断することができる。
【００５４】
「操作制限」は、ＩＤ情報に応じて、記録再生装置１０が備える機能の操作制限を設けるための項目である。例えば、記録再生装置１０が備える機能のうち、再生のみ可，記録不可，編集不可，録画番組の削除不可などの操作制限をＩＤ情報毎に設定することができる。これによって、幼児や子供等が記録再生装置１０を操作する場合に、コンテンツを勝手に削除したり、記録したりすることを防止することができる。
【００５５】
上記「操作制限」に関連して、「リモコン操作キー制限」は、ＩＤ情報に応じて、リモコン３０が備える各操作キーの有効／無効を設定するための項目である。例えば、幼児や子供等に対しては、リモコン３０の再生，停止，サーチのみを操作可能キーとし、その他の操作キーは操作不可として設定することによって、幼児や子供等が、コンテンツを勝手に削除したり、記録したりすることを防止することができる。
【００５６】
「ドライブアクセス制限」は、ＩＤ情報に応じて、記録再生装置１０が備えるディスクドライブ手段（例えば、ＨＤドライブ，ＤＶＤドライブ，ＣＤドライブ，ＢＤドライブ）へのアクセス制限を設けるための項目である。この場合、ＩＤ情報毎に、アクセス制限するディスクドライブの識別情報を予め登録しておく。記録再生装置１０は、ユーザからＩＤ情報が入力され、いずれかのディスクドライブが選択されると、制限管理テーブルからそのディスクドライブの識別情報をチェックして、当該ディスクドライブに対してアクセス制限されたユーザかどうか判断することができる。
【００５７】
「Ｗｅｂサイトアクセス制限」は、ＩＤ情報に応じて、記録再生装置１０の通信手段２２によって接続可能なＷｅｂサイトへのアクセス制限を設けるための項目である。例えば、アクセス制限するＷｅｂサイト（例えば、暴力表現を含むサイトや大人向けサイトなど）をＩＤ情報毎に予め登録しておく。記録再生装置１０は、ユーザからＩＤ情報が入力され、Ｗｅｂサイトのアドレスが入力されると、そのＷｅｂサイトが、制限管理テーブルに登録されているかどうか判定し、その結果、制限管理テーブルに登録されている場合、上記ユーザに対して当該Ｗｅｂサイトへのアクセス制限を行う。
【００５８】
また、別の実施形態として、記録再生装置１０は、アクセス制限機能を備えた特定のＷｅｂサイトを経由することで、上記したような、暴力表現を含むサイトや大人向けサイトなどのＷｅｂサイトにアクセス制限を掛けることができる。
【００５９】
「設定値アクセス制限」は、ＩＤ情報に応じて、記録再生装置１０に設定されている固有の設定値へのアクセス制限を設けるための項目である。例えば、アクセス制限する設定値をＩＤ情報毎に予め登録しておく。記録再生装置１０は、ユーザからＩＤ情報が入力され、いずれかの設定値の変更が指示されると、その選択された設定値が制限管理テーブルに登録されているかどうか判定し、その結果、制限管理テーブルに登録されている場合、上記ユーザに対して当該設定値へのアクセス制限を行う。このように、幼児や子供などが誤って機器の設定値を変更してしまわないように、ＩＤ情報毎に機器の設定変更に制限を掛けることができる。
【００６０】
「メニュー」は、ＩＤ情報に応じて、表示させる操作メニュー画面を設定するための項目である。記録再生装置１０は、複雑な操作内容に対応するために、操作メニューもプルダウン的に選択して操作できるようになっている。従って、操作に不慣れな高齢者や子供にとっては操作が容易ではない。そこで、本実施形態では、例えば、全ての機能を操作可能とする全操作メニュー，主要機能のみ操作可能な簡易操作メニュー，高齢者の操作に適した高齢者向け操作メニュー，子供の操作に適した子供向け操作メニューなどを設定することができる。例えば、高齢者の場合、予約，録画，再生，削除などの基本操作のみで十分と思われるので、基本操作に限定し且つ高齢者向けのシンプルで分かりやすい操作メニュー表示とする。具体的には、操作メニューの階層を少なくしたり、表示文字を大きくするといった高齢者に適した操作メニュー画面を生成して表示させる。
【００６１】
本発明によると、ＩＤ情報に応じて操作可能な機能を制限することができるため、子供などが番組を勝手に録画したり、消去、編集してしまうといったことを防止することができる。さらに、ＩＤ情報に応じて操作メニューを変更することができるため、例えば高齢者向けメニューや子供向けメニューにはシンプルで分かり易いメニュー構成にするなど、ユーザに適した操作メニューを表示させることができる。
【００６２】
図６は、本発明が適用されるコンテンツ管理方法の一例を説明するためのフロー図である。尚、本例は図１に示した記録再生装置１０に基づいて説明するものとする。
まず、記録再生装置１０は、ユーザのＩＤ情報を入力し（ステップＳ１）、入力されたＩＤ情報とＩＤ登録手段１７ａに登録されているＩＤ情報を比較してユーザを認証する（ステップＳ２）。ユーザ認証に成功した場合（ＹＥＳの場合）、ＩＤ情報に応じたコンテンツをコンテンツ記録手段１７ｂから抽出し（ステップＳ３）、抽出したコンテンツをリスト化してコンテンツリストとして表示する（ステップＳ４）。また、上記ステップＳ２において、ユーザ認証に失敗した場合（ＮＯの場合）、上記ステップＳ１からの処理を繰り返す。
【００６３】
次に、記録再生装置１０は、表示されたコンテンツリストから、ユーザによってコンテンツが選択されたかどうか判断し（ステップＳ５）、コンテンツが選択された場合（ＹＥＳの場合）、当該コンテンツを再生出力する（ステップＳ６）。また、上記ステップＳ５において、コンテンツが選択されない場合（ＮＯの場合）、そのまま終了する。
【００６４】
図７は、本発明が適用されるコンテンツ管理方法の他の例を説明するためのフロー図である。尚、本例は図４に示す記録再生装置１０に基づいて説明するものとする。
まず、記録再生装置１０は、ユーザのＩＤ情報を入力し（ステップＳ１１）、入力されたＩＤ情報とＩＤ登録手段１７ａに登録されているＩＤ情報を比較してユーザを認証する（ステップＳ１２）。ユーザ認証に成功した場合（ＹＥＳの場合）、認証したユーザが図５に示す「ツネオ」（子供）であるかどうか判断し（ステップＳ１３）、ユーザが「ツネオ」の場合（ＹＥＳの場合）、リモコン３０の操作キー（例えば、記録操作キー）を制限し（ステップＳ１４）、子供向け操作メニュー（すなわち、再生，停止，サーチのみ操作可能）を表示する（ステップＳ１５）。また、上記ステップＳ１２において、ユーザ認証に失敗した場合（ＮＯの場合）、上記ステップＳ１１からの処理を繰り返す。
【００６５】
次に、記録再生装置１０は、上記ステップＳ１３において、ユーザが「ツネオ」以外の場合、すなわち、ユーザが「パパ」または「ママ」の場合（ＮＯの場合）、全操作メニューを表示し（ステップＳ１６）、コンテンツの録画あるいは再生のいずれが選択されたかを判断する（ステップＳ１７）。コンテンツの録画が選択された場合（図中、録画）、所望のコンテンツを録画し（ステップＳ１８）、録画コンテンツをコンテンツリストに登録する（ステップＳ１９）。また、上記ステップＳ１７において、コンテンツの再生が選択された場合（図中、再生）、ステップＳ２０に移行する。
【００６６】
次に、記録再生装置１０は、ＩＤ情報に応じたコンテンツをコンテンツ記録手段１７ｂから抽出し（ステップＳ２０）、抽出したコンテンツをリスト化してコンテンツリストとして表示する（ステップＳ２１）。
【００６７】
次に、記録再生装置１０は、表示されたコンテンツリストから、ユーザによってコンテンツが選択されたかどうか判断し（ステップＳ２２）、コンテンツが選択された場合（ＹＥＳの場合）、当該コンテンツを再生出力する（ステップＳ２３）。また、上記ステップＳ２２において、コンテンツが選択されない場合（ＮＯの場合）、そのまま終了する。
【００６８】
尚、本発明の記録再生装置、コンテンツ管理方法は、上記した各実施の形態に限定されるものではなく、本発明の要旨を逸脱しない範囲内において種々変更を加え得ることは勿論である。
【図面の簡単な説明】
【００６９】
【図１】本発明の一実施形態に係る記録再生装置の構成例を示すブロック図である。
【図２】図１に示す記録再生装置が備える機能を遠隔操作するための操作入力手段の一例を示す図である。
【図３】ＩＤ情報毎に視聴可能なコンテンツを管理するコンテンツ管理テーブルの一例を示す図である。
【図４】本発明の他の実施形態に係る記録再生装置の構成例を示すブロック図である。
【図５】制限設定手段によりＩＤ情報毎に各種制限を設定した制限管理テーブルの一例を示す図である。
【図６】本発明が適用されるコンテンツ管理方法の一例を説明するためのフロー図である。
【図７】本発明が適用されるコンテンツ管理方法の他の例を説明するためのフロー図である。
【符号の説明】
【００７０】
１０…記録再生装置、１１…アンテナ、１２…チューナ、１３…エンコーダ、１４…入出力Ｉ／Ｆ、１５…制御部、１６…デコーダ、１７…記録媒体（ＨＤ）、１７ａ…ＩＤ登録手段、１７ｂ…コンテンツ記録手段、１８…入力手段、１９…ユーザ認証手段、２０…コンテンツ抽出手段、２１…表示出力手段、２２…通信手段、２３…メニュー設定手段、２４…制限設定手段、３０…操作入力手段（リモコン）。
【図１】
2005316709.tif 000003
【図２】
2005316709.tif 000004
【図３】
2005316709.tif 000005
【図４】
2005316709.tif 000006
【図５】
2005316709.tif 000007
【図６】
2005316709.tif 000008
【図７】
2005316709.tif 000009